【手続補正書】
【提出日】平成16年7月9日(2004.7.9)
【手続補正１】
【補正対象書類名】特許請求の範囲
【補正対象項目名】全文
【補正方法】変更
【補正の内容】
【特許請求の範囲】
【請求項１】
クラブのスイング中にゴルフクラブヘッドに使用するためのウエイトデバイスであって、
ａ）開口を有する容器であって、該開口を通してクラブヘッドが該容器中に受容される容器、
ｂ）容器の上に設けられた保持具であって、クラブヘッドにおおむねフィットした関係で容器を保持する位置に固定される保持具、
ｃ）容器により支えられたウエイト構造物であって、クラブのスイングのためにクラブヘッドに実質的なウエイトを加える、ウエイト構造物、
ｄ）該容器が前面部、底面部、トウ部分、ヒール部分、背面部、およびトップ部を有し、該ウエイト構造物が前記部分の少なくとも１つの近傍に位置する容器、
の組み合わせを含むウエイトデバイス。
【請求項２】
前記保持具を前記位置に固定するためのフックおよびパイル固定具を有する、請求項１記載の組み合わせ。
【請求項３】
前記保持具が、容器の少なくとも途中まで伸びるフラップを有する、請求項１記載の組み合わせ。
【請求項４】
前記保持具が、容器の少なくとも途中まで伸びるフラップを有する、請求項２記載の組み合わせ。
【請求項５】
前記保持具が前記の固定された位置において前記開口部を少なくとも部分的に覆う、請求項１記載の組み合わせ。
【請求項６】
前記フラップが前記の固定された位置において前記開口部を少なくとも部分的に覆う、請求項３記載の組み合わせ。
【請求項７】
前記容器が、
ｉ）クラブヘッドのフロントフェースの隣接位置に伸びる壁部分、
ｉｉ）クラブヘッドのリアサイドの隣接位置に伸びる壁部分、
ｉｉｉ）クラブヘッドの底部表面の隣接位置に伸びる壁部分、
ｉｖ）クラブヘッドのトウの隣接位置に伸びる壁部分、
ｖ）クラブヘッドのヒールの隣接位置に伸びる壁部分、
ｖｉ）クラブヘッドのトップエッジの隣接位置に伸びる壁部分、
の少なくとも２つを有し、
ウエイト構造物がそのような壁部分の少なくとも１つに、またはその近傍に位置する、
請求項１記載の組み合わせ。
【請求項８】
ウエイト構造物が、以下の１つに、またはその近傍に位置する、請求項７記載の組み合わせ：
ｖｉｉ）壁部分の少なくとも１つ、
ｖｉｉｉ）壁部分の少なくとも２つ、
ｉｘ）壁部分の少なくとも３つ、
ｘ）壁部分の少なくとも４つ。
【請求項９】
ウエイト構造物が金属物質を含む、請求項１記載の組み合わせ。
【請求項１０】
前記物質が前記容器により隠されている、請求項９記載の組み合わせ。
【請求項１１】
前記ウエイト構造物が別個の局部的な複数の金属部分を有する、請求項８記載の組み合わせ。
【請求項１２】
前記物質が、容器により提供される１つまたは複数のポケット中に保持される、請求項９記載の組み合わせ。
【請求項１３】
容器中に受容されたクラブヘッドを有し、前記物質がクラブヘッドの反対側のポケット中に受容される、請求項９記載の組み合わせ。
【請求項１４】
前記物質が容器により提供されるポケット中に受容され、ポケットに対する物質の位置が調整可能であるような寸法を有する、請求項９記載の組み合わせ。
【請求項１５】
前記物質が容器により提供される１つまたは複数のポケット中に受容され、物質の１つまたは複数のポケット中での選択的な使用を可能とする、請求項９記載の組み合わせ。
【請求項１６】
容器の１つまたは複数の周縁部にスカッフプロテクターを有し、前記１つまたは複数の周縁部を、クラブをスイングする間の表面との接触によるスカッフニングに対して保護する、請求項１記載の組み合わせ。
【請求項１７】
以下の１つにスカッフプロテクターが伸びる、請求項１６記載の組み合わせ：
ｘ１）容器の最下部、
ｘ２）容器のトウ位置、
ｘ３）容器の下部ヒール部分。
【請求項１８】
容器の前面に、クラブのスイング中にボールを打つためのストライカーを有する、請求項１記載の組み合わせ。
【請求項１９】
前記ストライカーがプレートを有する、請求項１８記載の組み合わせ。
【請求項２０】
ウエイト構造物はサイズづけられ、きちんと配置され、容器内に受容されたクラブヘッドの以下の位置の少なくとも１つの位置の近傍に保持される、請求項１記載の組み合わせ：
ｉ）前面部分、
ｉｉ）背面部分、
ｉｉｉ）トウ部分、
ｉｖ）ヒール部分、
ｖ）トップ部分、
ｖｉ）底部部分。
【請求項２１】
クラブのスイング中にゴルフクラブに使用するためのウエイトデバイスであって、
ａ）それを介してクラブが受容され、構造物を取り外し可能にささえる空間を画定する構造物、
ｂ）クラブヘッドにおおむねフィットして配置される前記構造物、
ｃ）前記構造物により支えられるウエイトであって、クラブヘッドに実質的な重量を加え、ヘッドスイングの方向により大きなモーメントを提供し、クラブスイング中に使用されるウエイト、
の組み合わせを含むウエイトデバイス。
【請求項２２】
前記構造物がゴルフバッグに結合可能なフラップを有する、請求項２１記載の組み合わせ。
【請求項２３】
ａ）ゴルフバック上のループへの取り付けのために折りたたまれるフラップ、
ｂ）フラップに付随し、固定具部分をゴルフバッグに取り付ける固定具、
の１つを含む、請求項２２記載の組み合わせ。
【請求項２４】
クラブのホーゼルを露出させるため、ゴルフクラブヘッドの上に折りたたまれるフラップを構造物が有する、請求項２１記載の組み合わせ。
【請求項２５】
前記構造物により支えられた少なくとも１つのウエイトのための、シールされた、またはシール可能な１つまたは複数のエンクロージャーを有する、請求項２１記載の組み合わせ。
【請求項２６】
サイド−バイ−サイドシークエンスで複数の前記エンクロージャーを有し、ゴルフクラブヘッドに隣接して保持されたときにウエイトが動きによくフィットするようにする、請求項２５記載の組み合わせ。
【請求項２７】
前記構造物が１つまたは複数の耐湿性壁を有する、請求項２１記載の組み合わせ。
【請求項２８】
１つまたは複数の壁が実質的にゴルフクラブヘッドを取り囲む、請求項２７記載の組み合わせ。
【請求項２９】
前記構造物が拡張可能なトウ部分を有する容器を含み、異なるサイズのゴルフクラブヘッドトウ部分を受容し、フィットする、請求項２１記載の組み合わせ。
【請求項３０】
前記構造物が異なるサイズのゴルフクラブヘッドを覆い、追随できる長さを有するフラップを有する、請求項２１記載の組み合わせ。
【請求項３１】
前記構造物がヘッドを受容する上部開口を有するゴルフクラブヘッド容器を有し、該容器は該開口部の上に折りたたまれる上部フラップ部分を有し、該容器またはフラップの上部部分の上に強化材料を有し、容器の強化されていない部分を柔軟にし、クラブヘッドの曲線に追随するようにする、請求項２１記載の組み合わせ。
【請求項３２】
前記強化材料がバインディングを含む、請求項３１記載の組み合わせ。
【請求項３３】
前記構造物が開口を有し、クラブホーゼルの下の強化された部分を有する容器中に、ゴルフクラブを受容する、請求項２１記載の組み合わせ。
【請求項３４】
前記構造物が、クラブヘッドの前面および背面で上方に折りたたまれる２つの類似の半分の部分を有し、前記ウエイトが該フラップの内側面に保持される、請求項２１記載の組み合わせ。
【請求項３５】
前記フラップがクラブヘッドの底部近傍の位置でシームレスに取り付けられ、クラブヘッドの頂部近傍に強化材料が取り付けられる、請求項３４記載の組み合わせ。
【請求項３６】
前記ウエイトが、該フラップの内側面でポケット中に、包まれた複数のウエイトを有する、請求項３４記載の組み合わせ。
【請求項３７】
前記構造物がクラブヘッドの反対方向へ伸び、ヘッドの１面に該構造物の上に第一の指示色があり、ヘッドの反対の面に該構造物の上に第二の指示色がある、請求項２１記載の組み合わせ。
【請求項３８】
前記構造物がクラブヘッド周囲を緊密に覆う覆いを画定し、保持具がヘッドの周囲に緊密に覆いを保持する、請求項２１記載の組み合わせ。
【請求項３９】
前記保持具がＶＥＬＣＲＯを含む、請求項３８記載の組み合わせ。
【請求項４０】
前記構造物がクラブシャフトの上を伸びるシースを含み、前記ウエイトが該シースの上に支えられる、請求項２１記載の組み合わせ。
【請求項４１】
クラブヘッドを包むシース下部を有し、前記ウエイトの部分が該シース下部の上にある、請求項４０記載の組み合わせ。
【請求項４２】
クラブのスイング中にゴルフクラブヘッドに使用するためのウエイトデバイスであって、
ａ）開口を有する容器であって、該開口を通してクラブヘッドが該容器中に受容される容器、
ｂ）容器の上に設けられた保持具であって、クラブヘッドにおおむねフィットした関係で容器を保持する位置に固定される保持具、
ｃ）容器により支えられたウエイト構造物であって、クラブのスイングのためにクラブヘッドに実質的なウエイトを加える、ウエイト構造物、
ｄ）該容器が前部、底部、トウ部分、ヒール部分、背部、およびトップ部を有し、該ウエイト構造物が前記部分の少なくとも１つの近傍に位置する容器、
ｅ）折りたたみ可能であり、該開口部の上に少なくとも部分的に伸びる保持具であって、ついで該ヒール部分近傍から該トウ部分方向にほぼ前方に伸び、それにより保持具の側面を、容器により保持される表面に取り外し可能に取り付けるための位置に運ぶ保持具、
の組み合わせを含むウエイトデバイス。
【請求項４３】
クラブのスイング中にゴルフクラブヘッドに使用するためのウエイトデバイスであって、
ａ）開口を有する容器であって、該開口を通してクラブヘッドが該容器中に受容される容器、
ｂ）容器の上に設けられた保持具であって、スイングの間にクラブヘッドに容器を保持する位置に固定される保持具、
ｃ）容器により支えられたウエイト構造物であって、クラブのスイングのためにクラブヘッドに実質的なウエイトを加える、ウエイト構造物、
ｄ）該容器が前部、底部、トウ部分、ヒール部分、背部、およびトップ部を有し、該ウエイト構造物が前記部分の少なくとも１つの近傍に位置する容器、
ｅ）折りたたみ可能であり、該開口部の上に少なくとも部分的に伸びる保持具であって、保持具の一部が該容器のヒール部分近傍から該トウ部分方向にほぼ前方に伸び、それにより保持具の側面を、容器により保持される表面に取り外し可能に取り付けるための位置に運ぶ保持具、
の組み合わせを含むウエイトデバイス。
【請求項４４】
クラブのスイング中にゴルフクラブヘッドに使用するためのウエイトデバイスであって、
ａ）開口を有する容器であって、該開口を通してクラブヘッドが該容器中に受容される容器、
ｂ）容器の上に設けられた保持具であって、スイングの間にクラブヘッドに容器を保持する位置に固定される保持具、
ｃ）容器により支えられたウエイト構造物であって、クラブのスイングのためにクラブヘッドに実質的なウエイトを加える、ウエイト構造物、
ｄ）該容器が前部、底部、トウ部分、ヒール部分、背部、およびトップ部を有し、該ウエイト構造物が前記部分の少なくとも１つの近傍に位置する容器、
ｅ）該開口部の上に少なくとも部分的に伸びるように操作可能である保持具であって、保持具の一部が該トウ部分方向にほぼ前方に伸び、それにより保持具の側面を、容器により保持される表面に取り外し可能に取り付けるための位置に運ぶ保持具、
の組み合わせを含むウエイトデバイス。